(57)【特許請求の範囲】
【請求項１】
ウエスト又はその近傍にベルトが通された衣服の上に重ね着される下半身用衣服であって、
着用者の骨盤を外囲して、上端においてウエスト開口を画成する覆骨盤部と、
前記覆骨盤部の上部に設けられた少なくとも１つのベルト係止具とを備え、
前記ベルト係止具が、前記覆骨盤部に固定可能な一端部と、前記覆骨盤部に着脱可能に固定される他端部とを有する帯状体を含み、
前記帯状体は、前記一端部にて前記覆骨盤部の裏面側に固定され、前記他端部にて前記覆骨盤部の表面側又は裏面側に着脱可能に固定され、
前記帯状体は、前記一端部にて下向きに延在するように固定され、前記他端部を前記覆骨盤部に固定した状態では、上向きに折り返された後に、前記ベルトの内面側を通過して前記他端部に至るように構成されたことを特徴とする下半身用衣服。
【請求項２】
前記帯状体は、前記一端部にて前記覆骨盤部の表面側に固定され、前記他端部にて前記覆骨盤部の裏面側に着脱可能に固定されることを特徴とする請求項１に記載の下半身用衣服。
【請求項３】
前記帯状体の前記他端部と前記覆骨盤部との着脱は、雄ボタンと雌ボタンとを備えるスナップボタンによってなされ、
前記雄ボタン及び前記雌ボタンの一方が、前記覆骨盤部に取り付けられるとともに前記帯状体の前記一端部を前記覆骨盤部に固定しており、前記雄ボタン及び前記雌ボタンの他方が、前記帯状体の前記他端部に取り付けられたことを特徴とする請求項１又は２に記載の下半身用衣服。
【請求項４】
前記覆骨盤部の上縁部に、前記ウエスト開口の周方向に沿って伸縮する弾性体が取り付けられ、
前記帯状体の前記一端部及び前記他端部の前記覆骨盤部への固定位置は、着用者の身長に沿う方向に対して前記弾性体の直下であることを特徴とする請求項１〜３のいずれかに記載の下半身用衣服。
【請求項５】
前記下半身用衣服は、前記覆骨盤部から下方に延出して前記着用者の脚を外囲する１対の脚部をさらに有するオーバーズボンであることを特徴とする請求項１〜４のいずれかに記載の下半身用衣服。
【発明の詳細な説明】
【技術分野】
【０００１】
本発明は、ベルトが通された衣服の上に重ね履きされる下半身用衣服、特に、ウエスト部のずれが防止又は抑制された下半身用衣服に関する。
【背景技術】
【０００２】
ズボン及びスカートのような、着用者のウエスト又はその近傍より下方の部分を覆う下半身用衣服には、雨具、防寒具又は防護具等の機能を有し、通常の下半身用衣服等の上に重ね着されるものがある。
【０００３】
このような重ね着される下半身用衣服は、ウエスト部に取り付けられたゴムの弾性力によって着用者に固定されることが多い。例えば、下着等の上に着用された通常のズボンの上に重ね履きされるオーバーズボンには、ウエスト部にゴムを周方向に伸縮するように取り付けたものがある。
【０００４】
また、別の手段による固定方法も提案されている。例えば、特許文献１には、対をなす内側に履くズボンと外側に履くオーバーズボンとが記載されている。内側のズボンには、面ファスナー等の固定手段を備えるタブがウエスト部に設けられており、オーバーズボンには、内側のズボンの固定手段に係合する固定手段がウエストの上部に設けられている。内側のズボンのみを履くときは、タブの固定手段は、内側のズボンのベルトループに固定され、オーバーズボンを重ね着するときは、内側のズボンの固定手段を、オーバーズボンの固定手段に係合して、オーバーズボンを着用者に固定する。
【先行技術文献】
【特許文献】
【０００５】
【特許文献１】米国特許第４，６３３，５２７号明細書
【発明の概要】
【発明が解決しようとする課題】
【０００６】
しかしながら、ゴムの弾性力によって着用者に固定されたオーバーズボンは、最初の固定位置からずれやすいという問題があった。特に、ゴルフのような腰をひねる動作を行う場合、固定位置からのずれが顕著であった。オーバーズボンがずれることによって、競技者の意識が散漫になり、ボールを打つことに意識を集中させることが妨げられていた。
【０００７】
一方、特許文献１に記載の固定手段では、１対の固定手段の一方が内側のズボンに設けられ、他方がオーバーズボンに設けられているため、対応する内側のズボンを履いていないとオーバーズボンを確実に固定できないという問題があった。
【０００８】
このような問題に鑑み、本発明は、内側に着用された衣服が重ね着される下半身用衣服を固定するための専用の構造を有さなくとも、ずれないように固定できる手段を備えた重ね着される下半身用衣服を提供することを目的とする。
【課題を解決するための手段】
【０００９】
本発明のある側面は、ウエスト又はその近傍にベルト（３６）が通された衣服（３２）の上に重ね着される下半身用衣服（２）であって、着用者の骨盤を外囲して、上端においてウエスト開口（４）を画成する覆骨盤部（６）と、前記覆骨盤部の上部に設けられた少なくとも１つのベルト係止具（１０）とを備え、前記ベルト係止具が、前記覆骨盤部に固定可能な一端部と、前記覆骨盤部に着脱可能に固定される他端部とを有する帯状体（２４）を含むことを特徴とする。ここで「ウエスト又はその近傍」という用語は、高さ方向においては着用者の腹部から骨盤上部までの範囲を意味する。
【００１０】
この構成によれば、帯状体を内側に着用された衣服のベルトに取り付けることができるため、下半身用衣服の覆骨盤部の上縁近傍がベルトを介して着用者に固定され、覆骨盤部の上縁近傍の位置がずれることが防止又は抑制される。また、この構成は、ウエスト又はその近傍にベルトが通された衣服に重ね着する場合に適用できるため、内側に着る衣服は、幅広い範囲の衣服から選択できる。
【００１１】
本発明の他の側面は、上記構成において、前記帯状体は、前記一端部にて前記覆骨盤部の裏面側に固定され、前記他端部にて前記覆骨盤部の表面側に着脱可能に固定されることを特徴とする。代替的に、前記帯状体は、前記一端部にて前記覆骨盤部の裏面側に固定され、前記他端部にて前記覆骨盤部の裏面側に着脱可能に固定されること、又は、前記帯状体は、前記一端部にて前記覆骨盤部の表面側に固定され、前記他端部にて前記覆骨盤部の裏面側に着脱可能に固定されることを特徴としてもよい。
【００１２】
これらの構成によれば、帯状体の他端部の覆骨盤部への着脱を容易に行うことができるとともに、覆骨盤部の上端をベルトと略同じ高さに設定することができる。
【００１３】
本発明の他の側面は、前記一端部が前記覆骨盤部の裏面に固定される上記構成において、前記帯状体は、前記一端部にて下向きに延在するように固定され、前記他端部を前記覆骨盤部に固定した状態では、上向きに折り返された後に、前記ベルトの内面側を通過して前記他端部に至るように構成されたことを特徴としてもよい。
【００１４】
この構成によれば、一端部の覆骨盤部への固定位置を高くしても、帯状体の覆骨盤部の裏面側に位置する部分の長さを確保でき、幅の広いベルトを通すことができる。
【００１５】
本発明の他の側面は、上記構成において、前記帯状体の前記他端部と前記覆骨盤部との着脱は、雄ボタン（２８）と雌ボタン（３０）とを備えるスナップボタン（２６）によってなされ、前記雄ボタン及び前記雌ボタンの一方が、前記覆骨盤部に取り付けられるとともに前記帯状体の前記一端部を前記覆骨盤部に固定しており、前記雄ボタン及び前記雌ボタンの他方が、前記帯状体の前記他端部に取り付けられたことを特徴とする。
【００１６】
この構成によれば、帯状体の覆骨盤部への固定を簡素かつ強固に行うことができる。
【００１７】
本発明の他の側面は、上記構成において、前記覆骨盤部の上縁部（１２）に、前記ウエスト開口の周方向に沿って伸縮する弾性体（１４）が取り付けられ、前記帯状体の前記一端部及び前記他端部の前記覆骨盤部への固定位置は、着用者の身長に沿う方向に対して前記弾性体の直下であることを特徴とする。
【００１８】
この構成によれば、弾性体によって下半身用衣服が着用者に仮固定されるため、帯状体がベルトに係止されるように他端部を覆骨盤部に固定する作業が容易になる。
【００１９】
本発明の他の側面は、上記構成において、前記下半身用衣服は、前記覆骨盤部から下方に延出して前記着用者の脚を外囲する１対の脚部をさらに有するオーバーズボンであることを特徴とする。
【００２０】
この構成によれば、下半身用衣服の着用目的となる機能、例えば、雨具、防寒具又は防護具等の機能を、着用者の覆骨盤部だけでなく脚部に対しても発揮させることができる。
【発明の効果】
【００２１】
本発明によれば、内側に着用された衣服が重ね着される下半身用衣服を固定するための専用の構造を有さなくとも、ずれないように固定できる手段を備えた重ね着される下半身用衣服を提供することができる。
【図面の簡単な説明】
【００２２】
【図１】実施形態に係る下半身用衣服（オーバーズボン）の全体斜視図
【図２】ベルト周辺の拡大断面図（実施形態に係るオーバーズボン着用前）
【図３】ベルト周辺の拡大断面図（実施形態に係るオーバーズボン着用途中）
【図４】ベルト周辺の拡大断面図（実施形態に係るオーバーズボン着用後）
【発明を実施するための形態】
【００２３】
以下、図面を参照して、本発明の実施形態に係るオーバーズボン２を説明する。
【００２４】
図１は、下半身用衣服の１種であるオーバーズボン２の全体を示す。オーバーズボン２は、着用者の骨盤を外囲して、上端においてウエスト開口４を画成する覆骨盤部６と、覆骨盤部６から下方に延出して着用者の脚を外囲する１対の脚部８と、覆骨盤部６の上縁近傍に設けられた４つのベルト係止具１０とを備える。
【００２５】
覆骨盤部６には、その上端から下方に向けて所定の幅を有してウエスト開口４の周方向に沿って延在する上縁部１２が形成されており、上縁部１２には、周方向に沿って伸縮するゴム１４が上下２段に取り付けられている（図３及び図４参照）。さらに、上縁部１２には、上下２段のゴム１４の間に紐１６が通されている。また、覆骨盤部６には、前側が上端から開くように、上縁部１２の前側の左右方向の中央にボタン１８が取り付けられ、ボタン１８の下方にファスナー２０が取り付けられている。
【００２６】
なお、ゴム１４は、ボタン１８の取り付け位置の近傍を除いて上縁部１２の全周に渡って設けられているが、上縁部１２の一部にのみ設けてもよい。また、ゴム１４に代えて他の弾性体を用いてもよい。また、ゴム１４又は紐１６の一方又は双方を設けなくてもよい。また、ボタン１８及びファスナー２０を設けず、覆骨盤部６の前側が開かないようにしてもよい。
【００２７】
脚部８は、着用者の脚の付け根から足首までを覆うように形成されている。実施形態に係るオーバーズボン２は、雨具として使用されるものであり、表地には防水性の生地が用いられ、裏地にはメッシュ素材が用いられている。脚部８の膝に相当する部分には、通気口２２が設けられている。通気口２２は、脚部８の表地が上下で別体の生地から構成されることにより形成されている。上側の表地の下端部が下側の表地の上端部の表面に重なっていることにより、雨水の侵入が防止される。上側の表地と下側の表地とが、直接連結せずに、メッシュ素材の裏地を介して互いに連結していることにより、上側の表地の下端部と下側の表地の上端部との間に通気口２２が形成されるとともに、脚部８の上部と下部とが一体になっている。
【００２８】
ベルト係止具１０は、布からなる帯状体２４と、スナップボタン２６とを備える。帯状体２４の一端部は、覆骨盤部６の裏面の上縁近傍に固定されている。一端部の固定位置は、ゴム１４が取り付けられた位置より下方にずらされており、上縁部１２の直下である。帯状体２４の他端部は、スナップボタン２６によって、覆骨盤部６の表面の上縁近傍に着脱可能である。帯状体２４は、折り畳まれていない状態においては、一端部から下方に向かって延在するように一端部にて固定されているが、折り畳まれて他端部が覆骨盤部６の表面に固定された状態においては、帯状体２４は、一端部の固定地点の直近で上向きに折り返された後、覆骨盤部６の上端を跨ぐように下向きに再度折り返されて他端部に至る（図４参照）。なお、帯状体２４の長さと一端部及び他端部の覆骨盤部６への固定位置とは、帯状体２４の上側の折り返し位置と下側の折り返し位置との間の長さが一般的なベルトの幅よりも長くなるように定められることが必要であり、かつ、他端部が覆骨盤部６の表面に固定された状態において、帯状体２４の上側の折り返し位置と覆骨盤部６の上端との間の距離が一般的なベルトの幅よりも短くなるように定められることが好ましい。
【００２９】
スナップボタン２６は、覆骨盤部６に取り付けられた雄ボタン２８（図３及び図４参照）と、帯状体２４の他端部に取り付けられた雌ボタン３０とを備える。雄ボタン２８は、雌ボタン３０との係合部が形成された係合片２８ａと裏当片２８ｂとを備え、係合片２８ａが覆骨盤部６の表面側に配置され、裏当片２８ｂが覆骨盤部６の裏面側に配置される。係合片２８ａと裏当片２８ｂとが覆骨盤部６の生地及び帯状体２４の一端部を挟持することにより、雄ボタン２８は、覆骨盤部６の上縁近傍に固定される。換言すると、雄ボタン２８は、自身を覆骨盤部６の上縁近傍に固定するとともに、帯状体２４の一端部を覆骨盤部６の裏面の上縁近傍に固定する。雌ボタン３０は、雄ボタン２８との係合部が形成された係合片３０ａと裏当片３０ｂとを備え、係合片３０ａが帯状体２４における雄ボタン２８の裏当片２８ｂが取り付けられた側とは反対側の面の他端部に配置され、裏当片３０ｂが他端部におけるその反対側に配置される。係合片３０ａと裏当片３０ｂとが帯状体２４の他端部を挟持することにより、雌ボタン３０は、帯状体２４の他端部に固定される。裏当片２８ｂ，３０ｂの表面は、指で押しやすいなだらかな曲面となっている。
【００３０】
ベルト係止具１０の数及び配置は、適宜変更することができる。ベルト係止具１０を複数設けるときは、左右対称の位置に配置することが好ましく、奇数個のベルト係止具１０を設けるときは、その内の１つのベルト係止具１０は後部の左右方向中央に設けられることが好ましい。また、１つのベルト係止具１０に対して、雄ボタン２８及び雌ボタン３０のいずれか一方を複数設けて、帯状体２４が作るループの長さを調整しても良い。また、帯状体２４の一端部の固定位置と、雄ボタン２８の取り付け位置とを高さ方向にずらしてもよい。また、雄ボタン２８を帯状体２４の他端部に取り付け、雌ボタン３０を覆骨盤部６に取り付けるように変更してもよい。また、スナップボタン２６に代えて他のボタンや面ファスナー等の固定手段を用いてもよい。
【００３１】
次に、図２〜図４を参照して、オーバーズボン２の固定方法について説明する。
【００３２】
図２に示すように、着用者は、内ズボン３２、すなわち、下着等の上に着用される通常のズボンを着用している。内ズボン３２はベルトループ３４を備え、ベルトループ３４にはベルト３６が通されている。ベルト３６は、高さ方向においてウエスト又はその近傍に位置する。
【００３３】
着用者が内ズボン３２上に重ねてオーバーズボン２を履くと、ゴム１４の弾性力によって、オーバーズボン２は着用者に仮固定される。この状態から、図３に示すように、帯状体２４を他端部からベルト３６の裏面と内ズボン３２の表面との間に通し、帯状体２４がゆがまないように他端部を上方に引っ張り上げる。
【００３４】
さらに、図４に示すように、帯状体２４を覆骨盤部６の上端の上方で折り曲げ、帯状体２４の他端部に取り付けられた雌ボタン３０を覆骨盤部６の表面に取り付けられた雄ボタン２８に係合させる。このとき、ベルト係止具１０が、ベルトループとして機能し、ベルト３６に吊り下げられることによって、あるいは、ベルト３６により内ズボン３２の本体に向けて押し付けられて摩擦力が生じることによって、オーバーズボン２は、着用者に固定される。また、帯状体２４が覆骨盤部６の上端の直上で折り曲がるように、帯状体２４の長さ並びに一端部及び他端部の固定位置が定められていることによって、覆骨盤部６の上縁近傍の部分がベルト３６の表面の一部又は全部を覆っている。
【００３５】
なお、紐１６を締めることにより、オーバーズボン２の仮固定又は固定を補助してもよい。
【００３６】
次に、ベルト係止具１０の作用及び効果について説明する。
【００３７】
内ズボン３２に通されたベルト３６が、オーバーズボン２のベルト係止具１０を係止する。また、ベルト３６は、着用者に固定されている。従って、オーバーズボン２は、着用者に固定される。ゴム１４の弾性のみによって着用者に固定される場合に比べて、オーバーズボン２の覆骨盤部６の上縁部１２は、ずり落ち等の固定位置からのずれが防止又は抑制される。特に、ゴルフ等の腰をひねる運動をする場合の着用に適している。
【００３８】
また、ウエスト又はその近傍にベルト３６が通された内ズボン３２であれば、オーバーズボン２をベルト係止具１０で着用者に固定できるため、多様な内ズボン３２に対してオーバーズボン２を固定できる。
【００３９】
また、オーバーズボン２は、内ズボン３２に既に通されたベルト３６を使って着用者に固定されるため、別のベルトをさらに用いて固定する場合に比べて、着用者に対する圧迫感は増大せず、着心地が改善される。
【００４０】
また、雄ボタン２８の覆骨盤部６への固定は、帯状体２４の一端部の覆骨盤部６への固定を兼ね、又はその固定を補助しているため、帯状体２４の覆骨盤部６への固定の簡素化又は強固化に貢献している。
【００４１】
以上で具体的実施形態の説明を終えるが、本発明は上記実施形態に限定されることなく幅広く変形実施することができる。例えば、帯状体は、覆骨盤部の上端で折り返されるのではなく、覆骨盤部の上縁部に貫通孔を設けて、貫通孔を通して折り返されるようにしてもよい。また、帯状体の一端部と他端部との配置を逆にして、一端部を覆骨盤部の表面に固定し、他端部を覆骨盤部の裏面に着脱可能に固定してもよく、また、両端部を覆骨盤部の裏面に配置してもよい。また、帯状体の一端部を、他端部と同様に覆骨盤部に対して着脱可能な構成にしてもよい。また、本発明に係る下半身用衣服は、オーバーズボンだけでなく、スカートにも適用できる。また、本発明に係る下半身用衣服の内側に着用されるものは、ズボンに限られず、ウエスト又はその近傍にベルトが通されているものであれば、スカート等の他の下半身用衣服や、上半身を主に覆う衣服、全身を覆う衣服であってもよい。また、本発明に係る下半身用衣服は、雨具として着用されるものに限定されるものではなく、防寒具や防護具等の他の目的で着用されるものでもよい。
【符号の説明】
【００４２】
２：オーバーズボン（下半身用衣服）
４：ウエスト開口
６：覆骨盤部
１０：ベルト係止具
１２：上縁部
１４：ゴム（弾性体）
２４：帯状体
２６：スナップボタン
２８：雄ボタン
３０：雌ボタン
３２：内ズボン（衣服）
３６：ベルト
【図１】
0006685681.tif 000002
【図２】
0006685681.tif 000003
【図３】
0006685681.tif 000004
【図４】
0006685681.tif 000005